(57)【要約】【課題】患者がある程度の自由を得ながら自然な姿勢でベッドに寝ることができ、患者の負担を軽減し得る介護用身体拘束具を提供する【解決手段】本介護用身体拘束具１は、腕帯２及び２´を連結部材４及び４´を介してシーツ３の表面に取付けたことから成る。ベッドマット７の上面に、シーツ３を敷き、該ベッドマット７を囲みこむようにしてベッドの下面において、バックル雄部９ａと雌部９ｂとを挿着するか、該バックルがない場合には、紐又は帯８同士を直接結び合わせてベッドに固定する。そして、ベッドマット７の上に患者５をのせ、患者５の両腕に腕帯２を巻きつけて、面ファスナー６ａ、６ｂで止めて患者の身体を拘束する。【選択図】図５
0003125322.tif 000002
【実用新案登録請求の範囲】
【請求項１】
２つ以上の腕帯を連結部材を介してシーツの表面に取付けたことを特徴とする介護用身体拘束具。
【請求項２】
前記腕帯のうちの２つは、左右一対に対称に取付けられていることを特徴とする請求項１に記載の介護用身体拘束具。
【請求項３】
前記腕帯は、面ファスナーにより腕に着脱可能としたことを特徴とする請求項１又は２に記載の介護用身体拘束具。
【請求項４】
前記連結部材は、紐または帯状の布で形成されていることを特徴とする請求項１から３までのいずれか１項に記載の介護用身体拘束具。
【請求項５】
前記連結部材のうちの１つは、少なくとも人の胴回りの半分ほどの長さを有することを特徴とする請求項１から４までのいずれか１項に記載の介護用身体拘束具。
【請求項６】
前記シーツは、ベッドマットの一部を被覆する大きさに形成されていることを特徴とする請求項１から５までのいずれか１項に記載の介護用身体拘束具。
【請求項７】
前記シーツの左右両端部には、１又は２の紐または帯がそれぞれ取付けられていることを特徴とする請求項１から６までのいずれか１項に記載の介護用身体拘束具。
【請求項８】
前記シーツの左右両端部に取付けられた左右の紐または帯の先端には、互いに嵌合するバックルの雄部又は雌部がそれぞれ備えられていることを特徴とする請求項７に記載の介護用身体拘束具。
【請求項９】
前記シーツは、破れにくい素材で作られていることを特徴とする請求項１から８までのいずれか１項に記載の介護用身体拘束具。
【請求項１０】
前記腕帯及びシーツは、同じ素材で作られていることを特徴とする請求項１から９までのいずれか１項に記載の介護用身体拘束具。
【考案の詳細な説明】
【技術分野】
【０００１】
本考案は、点滴等の治療中にある痴呆患者等をベッドに拘束するための介護用身体拘束具に関するものである。
【背景技術】
【０００２】
ベッドでの治療を受けている痴呆患者等（以下、患者という）においては、その手で点滴中に点滴針を自分の腕から抜き取ってしまったり、便いじりをしてしまうことがよくある。また、介護する者が見ていないときには、辺りを徘徊していなくなってしまったり、ベッドから落ちてしまうこともある。
【０００３】
このため、従来より多くの医療機関において、特許文献１の従来例のように布の一端を患者に結び付ける一方、他端をベッドのフレームに結び付けて、患者の自由を奪う方法が取られてきた。
【特許文献１】特開２０００−２３７２２３号公報
【考案の開示】
【考案が解決しようとする課題】
【０００４】
しかしながら、このようなものでは、その都度前記フレームに結び付けなければならないため、作業が煩雑となり、時間もかかっていた。また、いかにもベットに結び付けられているという印象を与え、それを見るものに対しても、いいイメージを与えるものではなかった。
【０００５】
そこで、特許文献１にあるような人体用拘束具が発明されたが、取付部材をベッドの手すりに固定する場合は、患者は常に手を手すり方面に上げている姿勢をとり続けなければならず、患者の負担も大きいものがあった。一方で、患者の負担を和らげるため、連結部材を長くすることも考えられるが、その場合には連結部材が首や他の部位に巻きついたりして事故が起こる可能性があった。
【０００６】
本考案は、上記のような欠点を克服するためになされたものであって、患者がある程度の自由を得ながら自然な姿勢でベッドに寝ることができ、患者の負担を軽減するとともに、患者がベッドに拘束されているようなイメージを他の者に対しても与えないようにした介護用身体拘束具を提供することを目的とするものである。
【課題を解決するための手段】
【０００７】
上記目的を達成するため、本考案に係る介護用身体拘束具の第１の特徴は、２つ以上の腕帯を連結部材を介してシーツの表面に取付けたことを特徴とするものである。
【０００８】
また、本考案に係る介護用身体拘束具の第２の特徴は、上記第１の特徴における介護用身体拘束具の腕帯のうちの２つが、左右一対に対称に取付けられていることを特徴とするものである。
【０００９】
さらに、本考案に係る介護用身体拘束具の第３の特徴は、上記第１又は第２の特徴における介護用身体拘束具の腕帯が、面ファスナーにより腕に着脱可能としたことを特徴とするものである。
【００１０】
さらにまた、本考案に係る介護用身体拘束具の第４の特徴は、上記第１から第３までの特徴における介護用身体拘束具の連結部材が、紐または帯状の布で形成されていることを特徴とするものである。
【００１１】
また、本考案に係る介護用身体拘束具の第５の特徴は、上記第１から第４までの特徴における介護用身体拘束具の連結部材のうちの１つが、少なくとも人の胴回りの半分ほどの長さを有することを特徴とするものである。
【００１２】
さらにまた、本考案に係る介護用身体拘束具の第６の特徴は、上記第１から第５までの特徴における介護用身体拘束具のシーツが、ベッドマットの一部を被覆する大きさに形成されていることを特徴とするものである。
【００１３】
また、本考案に係る介護用身体拘束具の第７の特徴は、上記第１から第６までの特徴における介護用身体拘束具のシーツの左右両端部に、１又は２の紐または帯がそれぞれ取付けられていることを特徴とするものである。
【００１４】
さらにまた、本考案に係る介護用身体拘束具の第８の特徴は、上記第７の特徴における介護用身体拘束具のシーツ左右両端部に取付けられた左右の紐または帯の先端に、互いに嵌合するバックルの雄部又は雌部がそれぞれ備えられていることを特徴とするものである。
【００１５】
また、本考案に係る介護用身体拘束具の第９の特徴は、上記第１から第８までの特徴における介護用身体拘束具のシーツが、破れにくい素材で作られていることを特徴とするものである。
【００１６】
また、本考案に係る介護用身体拘束具の第１０の特徴は、上記第１から第９までの特徴における介護用身体拘束具の腕帯及びシーツが、同じ素材で作られていることを特徴とするものである。
【考案の効果】
【００１７】
本考案に係る介護用身体拘束具を使用することにより、ベッドへの拘束時であっても患者は楽な姿勢をとることができるため、快適に過ごすことができる。また、点滴用の針を抜き取ったり、いたずらをすることができなくなるため、ベッドでの清潔を保つことができる。
【００１８】
また、本考案に係る介護用身体拘束具は、シーツと一体化しているので、汚れた場合には、すぐに洗うことができる他、ベッドや患者への取付けも面ファスナー等を利用することにより極めて容易となることから、介護をする者にとって、作業負担や時間の軽減を図ることができ、作業者の数も減らすことが可能となる。
【００１９】
さらに、本考案によれば、第三者に対し患者がベッドに拘束されているというイメージを与えないので、介護する者も気持ちよく作業ができ、また患者に面会する者も気分よく過ごすことができる。
【考案を実施するための最良の形態】
【００２０】
以下、図面を参照して、本考案の最良の実施形態を符号を用いて説明する。
【実施例１】
【００２１】
図１〜３は、本考案の介護用身体拘束具の実施例１をそれぞれ表わしたものであり、このうち、１は介護用身体拘束具、２は腕帯、３はシーツ、４は腕帯２をシーツ３の表面に取付けるための連結部材をそれぞれ示している。介護用身体拘束具１は、主として前記腕帯２、シーツ３及び連結部材４から構成される。
【００２２】
腕帯２は、患者５の腕に巻き付けて介護用身体拘束具１を患者に装着させるためのものであって、図４にあるように、長方形状の布の表面及び裏面に、面ファスナー６ａ、６ｂが互いに対応するように取付けられている。なお、患者の腕への脱着が容易であれば、面ファスナー６ａ、６ｂに代えて、ボタン等を用いてもよい。
【００２３】
シーツ３は、ベッドマット７の上に敷いて使用するベッド用のシーツであり、洗濯等を容易にするため、ベッドマット７の一部を覆うものであればよい。シーツ３の左右両端部上下には、介護用身体拘束具１をベッドマット７に固定するために、紐又は帯８がそれぞれ取付けられている。当該紐又は帯８の先端には、紐又は帯８同士の連結作業を容易にするために、図２にあるように互いに嵌合し、かつ取り外しの容易なバックルの雄部９ａ及び雌部９ｂがそれぞれ取付けられていることが望ましい。
【００２４】
シーツ３の素材は、衛生上の観点から、介護用シーツとして売られているものを使用するのが望ましいが、それ以外であっても、例えばポリエステル地やデニム地、タオル地など腕帯２を引っ張ったときに、簡単に破れない素材であればよい。また、コストや手間等の観点から、腕帯２、シーツ３及び連結部材４は同じ生地により形成されることが望ましい。
【００２５】
連結部材４は、腕帯２をシーツ３に固定するための布であり、腕帯２及びシーツ３の双方に縫着されている。連結部材４の形状等は特に限定されないが、コスト等の観点から紐又は帯状のものを用いることが望ましい。図示の例では、帯状の布を環状にして腕帯２及びシーツ３の双方に縫着している。
【００２６】
腕帯２は連結部材４を介してシーツ３に対で取付けられるが、患者が自然な姿勢で少しでも楽にいられるように、腕帯２の上方は互いに多少内側向きに、下方は多少外側向きになるように取付けるとよい。
【００２７】
次に、介護用身体拘束具１の使用方法について説明する。最初にベッドマット７の上面に、シーツ３を敷き、該ベッドマット７を囲みこむようにしてベッドの下面において、前記バックル雄部９ａをバックル雌部９ｂに挿着するか、該バックルがない場合には、紐又は帯８同士を直接結び合わせる。そして、前記ベッドマット７の上に患者５をのせ、患者５の両腕に腕帯２を巻きつけて、面ファスナー６ａ、６ｂで止める。
なお、前記バックルは雄部９ａと雌部９ｂとの嵌合をワンタッチで解除することができる。
【００２８】
患者５は介護用身体拘束具１により、ベッドに拘束されるが、連結部材４により腕帯２とシーツ３との間であそびが生じているので、その分腕を動かす自由がきき、また自然な姿勢でいられることから精神的かつ肉体的にも楽な状態を保つことができる。
【実施例２】
【００２９】
実施例２は、実施例１の介護用身体拘束具１の腕帯２間に、別に腕帯２´を連結部材４´を介して取付けたものであり、図５及び６に示すものである。連結部材４´は、長い帯状の布で患者５が腕帯２´を腕に付けていながら横向きで寝ることができるようにするものであり、他の連結部材４に比して長く、人の胴回りの半分程度の長さ（あるいは多少それよりも長い）を有している。
【００３０】
実施例２では、患者５が一方の腰を下にして横向きになるときに、連結部材４´をその腰の下から背中Ｂに回して他方の腰側にある腕１０´に腕帯２´を装着する。これにより、患者５は横向きになることができ、床ずれを起こすことがなくなる一方で、手はそれぞれ拘束されているので、点滴針等を抜いたりすることがなくなる。また、介護する者にとっても患者を横向きにする際に身体拘束具の結び直しや紐の長さの調整をする必要がなくなるので、作業の効率化が図られる。
【００３１】
本考案によれば、患者は、自然な姿勢で寝ることができ、また連結部材により手もある程度の自由がきき、しかも横向きにもなれるので、ベッドへの拘束時であっても負担感を感じずに過ごすことができる。
【００３２】
また、介護する者にとっても、いちいち紐を縛ったり解いたりする手間が省けるため、作業の効率を高めることができるとともに、それに係わる人員も減らすことができる。
【００３３】
さらに、患者と接する人達にも、患者がベッドに縛りつけられているという印象を与えず、見た目によい。
【００３４】
以上、本考案の実施例につき図面を参照して詳細に説明したが、本考案はこれに限定されず、実用新案登録請求の範囲に記載した構成の範囲内において様々な態様で実施することができる。
【産業上の利用可能性】
【００３５】
本考案は主に家庭での在宅看護向けに考案されたものであるが、病院等での使用にも有用である。また、痴呆の人たちだけではなく、一般病棟の患者の看護の用途にも適用できる。
【図面の簡単な説明】
【００３６】
【図１】本考案に係る介護用身体拘束具の実施例１を表わした斜視図である。
【図２】本考案に係る介護用身体拘束具の実施例１の平面図である。
【図３】本考案に係る介護用身体拘束具の実施例１の使用状態を示す平面図である。
【図４】腕帯の拡大斜視図である。
【図５】本考案に係る介護用身体拘束具の実施例２を表わした斜視図である。
【図６】本考案に係る介護用身体拘束具の実施例２の使用状態を示す側面図である。
【符号の説明】
【００３７】
１        介護用身体拘束具
２、２´  腕帯
３        ベッド用シーツ
４、４´  連結部材
６ａ、６ｂ  面ファスナー
８        紐又は帯
９ａ      バックル雄部
９ｂ      バックル雌部
【図１】
0003125322.tif 000003
【図２】
0003125322.tif 000004
【図３】
0003125322.tif 000005
【図４】
0003125322.tif 000006
【図５】
0003125322.tif 000007
【図６】
0003125322.tif 000008